(57)【特許請求の範囲】
【請求項１】
複数の作業者端末と通信可能に接続する清掃作業管理サーバであって、
部屋番号ごとに、当該部屋番号の部屋が空室であるか、当該部屋番号の部屋に滞在しているか、当該部屋番号の部屋が本日出発する予定の部屋であるかを識別する滞在情報と、当該部屋番号の部屋が未清掃であるか、完了であるかを識別する清掃情報とをそれぞれ対応付けて記憶する記憶手段と、
前記作業者端末に入力された、部屋番号及び当該部屋番号に対する作業メッセージを受け付けるメッセージ受付手段と、
前記メッセージ受付手段により受け付けた部屋番号及び当該部屋番号に対する作業メッセージを関連付けて管理する管理手段と、
前記記憶手段に記憶された、部屋番号ごとの前記滞在情報及び前記清掃情報と、前記管理手段により管理された部屋番号に対する作業メッセージとに従って、前記作業者端末に対して、部屋番号ごとに、前記滞在情報と、前記清掃情報と、前記作業メッセージとをそれぞれ対応付けて一覧表示するよう制御する一覧表示制御手段と、
を備えることを特徴とする清掃作業管理サーバ。
【請求項２】
前記作業者端末で一覧表示された部屋番号の何れかがユーザに選択された場合に、前記選択された部屋番号に対応する前記作業メッセージの状態を未読から既読に変更する変更手段と、
前記一覧表示制御手段が、前記既読に変更した前記作業メッセージの既読状態を、部屋番号ごとに一覧表示するよう制御することを特徴とする請求項１に記載の清掃作業管理サーバ。
【請求項３】
前記一覧表示制御手段が一覧表示する場合に、更に、フロア別の全ての部屋番号を合計した部屋数と、フロア別の全ての部屋番号の内、未清掃か完了に分けた部屋数を表示することを特徴とする請求項１または請求項２に記載の清掃作業管理サーバ。
【請求項４】
施設別のフロア番号に一意に対応する前記フロア別の全ての部屋番号を合計した部屋数、前記フロア別の全ての部屋番号の内、未清掃か完了に分けた部屋数を、前記施設別のフロア番号にごとに一覧表示するよう制御する第２の一覧表示制御手段と、
を更に備えることを特徴とする請求項３に記載の清掃作業管理サーバ。
【請求項５】
前記作業者端末から、複数の部屋番号及び当該複数の部屋番号に共通する前記作業メッセージを受け付ける第２のメッセージ受付手段と、
前記複数の部屋番号及び前記共通する前記作業メッセージを受け付けた場合には、前記管理手段が前記複数の部屋番号に共通する前記作業メッセージを対応づけて一括登録する一括登録手段と、
をさらに備えることを特徴とする請求項１乃至請求項４の何れか１項に記載の清掃作業管理サーバ。
【請求項６】
前記作業メッセージを複製する部屋番号及び既に記載されている前記作業メッセージの複製指示を受け付ける複製指示受付手段と、
前記複製指示を受け付けた場合には、前記既に記載されている前記作業メッセージが前記作業メッセージを複製する部屋番号に対するメッセージとして複製されるように前記作業メッセージの一覧表示を更新制御する更新制御手段と、
をさらに備えることを特徴とする請求項１乃至請求項５の何れか１項に記載の清掃作業管理サーバ。
【請求項７】
前記記憶手段は更に、部屋番号毎に現在の使用状況を対応づけて記憶し、
前記メッセージ受付手段で受け付けた部屋番号の現在の使用状況が使用済みであるか否かを判断する使用済み判断手段と、
前記使用済みであると判断された場合に、前記メッセージ受付手段で当該部屋番号に対する前記作業メッセージを受け付け可能に制御し、一方、前記使用済みでないと判断された場合に、前記メッセージ受付手段で当該部屋番号に対する前記作業メッセージを受け付けないように切替制御することを特徴とする請求項１乃至請求項６の何れか１項に記載の清掃作業管理サーバ。
【請求項８】
前記作業メッセージを登録可能な複数の異なる施設情報の施設情報テーブルを記憶する第２の記憶手段と、
施設情報を受け付ける施設情報受付手段と、
前記受け付けた施設情報が前記施設情報テーブルにあるか否かを認証する認証手段と、
前記認証された施設情報毎のメッセージを、前記メッセージ受付手段で当該部屋番号に対する前記作業メッセージとして受け付け可能に制御することを特徴とする請求項１乃至請求項７の何れか１項に記載の清掃作業管理サーバ。
【請求項９】
前記メッセージ受付手段が、前記作業者端末から、部屋番号及び当該部屋への清掃作業内容である前記作業メッセージを受け付ける場合には、メッセージ欄には予め設定されたひな形の作業メッセージが記入されて表示されていることを特徴とする請求項１乃至請求項８の何れか１項に記載の清掃作業管理サーバ。
【請求項１０】
複数の作業者端末と通信可能に接続し、部屋番号ごとに、当該部屋番号の部屋が空室であるか、当該部屋番号の部屋に滞在しているか、当該部屋番号の部屋が本日出発する予定の部屋であるかを識別する滞在情報と、当該部屋番号の部屋が未清掃であるか、完了であるかを識別する清掃情報とをそれぞれ対応付けて記憶する記憶手段を備える清掃作業管理サーバの制御方法であって、
前記清掃作業管理サーバのメッセージ受付手段が、前記作業者端末に入力された、部屋番号及び当該部屋番号に対する作業メッセージを受け付けるメッセージ受付工程と、
前記清掃作業管理サーバのメッセージ管理手段が、前記メッセージ受付工程で受け付けた部屋番号及び当該部屋番号に対する作業メッセージを関連付けて管理する管理工程と、
前記清掃作業管理サーバの一覧表示制御手段が、前記記憶手段に記憶された、部屋番号ごとの前記滞在情報及び前記清掃情報と、前記管理工程で管理された部屋番号に対する作業メッセージとに従って、前記作業者端末に対して、部屋番号ごとに、前記滞在情報と、前記清掃情報と、前記作業メッセージとをそれぞれ対応付けて一覧表示するよう制御する一覧表示制御工程と、
を含むことを特徴とする制御方法。
【請求項１１】
複数の作業者端末と通信可能に接続する清掃作業管理サーバで読み取り実行可能なプログラムであって、
前記清掃作業管理サーバを、
部屋番号ごとに、当該部屋番号の部屋が空室であるか、当該部屋番号の部屋に滞在しているか、当該部屋番号の部屋が本日出発する予定の部屋であるかを識別する滞在情報と、当該部屋番号の部屋が未清掃であるか、完了であるかを識別する清掃情報とをそれぞれ対応付けて記憶する記憶手段と、
前記作業者端末に入力された、部屋番号及び当該部屋番号に対する作業メッセージを受け付けるメッセージ受付手段と、
前記メッセージ受付手段により受け付けた部屋番号及び当該部屋番号に対する作業メッセージを関連付けて管理する管理手段と、
前記記憶手段に記憶された、部屋番号ごとの前記滞在情報及び前記清掃情報と、前記管理手段により管理された部屋番号に対する作業メッセージとに従って、前記作業者端末に対して、部屋番号ごとに、前記滞在情報と、前記清掃情報と、前記作業メッセージとをそれぞれ対応付けて一覧表示するよう制御する一覧表示制御手段と、
して機能させるためのプログラム。
【発明の詳細な説明】
【技術分野】
【０００１】
本発明は、作業メッセージ管理サーバ、その制御方法とプログラムの技術に関する。
【背景技術】
【０００２】
ホテルでは宿泊者がチェックアウトした後に、清掃作業員がその部屋の片付けやベットメイキング等の清掃作業を行う。清掃作業員は当日の清掃作業計画に従って、ホテルの部屋を巡回して清掃作業を順次行っていく。
【０００３】
特許文献１には、宿泊施設全体の清掃の効率を向上させるために、清掃員の勤務状況、宿泊者のチェックアウト時刻、各部屋の清掃状態、部屋毎の清掃作業時間のデータを用いて、清掃計画を作成する技術が開示されている。
【先行技術文献】
【特許文献】
【０００４】
【特許文献１】特開２００３−６７５０９号公報
【発明の概要】
【発明が解決しようとする課題】
【０００５】
しかしながら特許文献１の技術では効率的に巡回するルートは案内できるが、部屋毎に異なる清掃作業内容が部屋の状況によって頻繁に変更される場合、部屋の清掃等を行う作業員に対する正しい清掃作業内容が間に合わない場合もある。
本発明は、複数の作業者端末間で作業状況を共有するため、それぞれの作業者端末に対して、部屋番号ごとに、滞在情報と、清掃情報と、作業メッセージとをそれぞれ対応付けて一覧表示するよう制御する仕組みを提供することを目的とする。
【課題を解決するための手段】
【０００６】
本発明は、複数の作業者端末と通信可能に接続する清掃作業管理サーバであって、部屋番号ごとに、当該部屋番号の部屋が空室であるか、当該部屋番号の部屋に滞在しているか、当該部屋番号の部屋が本日出発する予定の部屋であるかを識別する滞在情報と、当該部屋番号の部屋が未清掃であるか、完了であるかを識別する清掃情報とをそれぞれ対応付けて記憶する記憶手段と、前記作業者端末に入力された、部屋番号及び当該部屋番号に対する作業メッセージを受け付けるメッセージ受付手段と、前記メッセージ受付手段により受け付けた部屋番号及び当該部屋番号に対する作業メッセージを関連付けて管理する管理手段と、前記記憶手段に記憶された、部屋番号ごとの前記滞在情報及び前記清掃情報と、前記管理手段により管理された部屋番号に対する作業メッセージとに従って、前記作業者端末に対して、部屋番号ごとに、前記滞在情報と、前記清掃情報と、前記作業メッセージとをそれぞれ対応付けて一覧表示するよう制御する一覧表示制御手段と、を備えることを特徴とする。
【０００７】
本発明は、複数の作業者端末と通信可能に接続し、部屋番号ごとに、当該部屋番号の部屋が空室であるか、当該部屋番号の部屋に滞在しているか、当該部屋番号の部屋が本日出発する予定の部屋であるかを識別する滞在情報と、当該部屋番号の部屋が未清掃であるか、完了であるかを識別する清掃情報とをそれぞれ対応付けて記憶する記憶手段を備える清掃作業管理サーバの制御方法であって、前記清掃作業管理サーバのメッセージ受付手段が、前記作業者端末に入力された、部屋番号及び当該部屋番号に対する作業メッセージを受け付けるメッセージ受付工程と、前記清掃作業管理サーバのメッセージ管理手段が、前記メッセージ受付工程で受け付けた部屋番号及び当該部屋番号に対する作業メッセージを関連付けて管理する管理工程と、前記清掃作業管理サーバの一覧表示制御手段が、前記記憶手段に記憶された、部屋番号ごとの前記滞在情報及び前記清掃情報と、前記管理工程で管理された部屋番号に対する作業メッセージとに従って、前記作業者端末に対して、部屋番号ごとに、前記滞在情報と、前記清掃情報と、前記作業メッセージとをそれぞれ対応付けて一覧表示するよう制御する一覧表示制御工程と、を含むことを特徴とする。
【０００８】
本発明は、複数の作業者端末と通信可能に接続する清掃作業管理サーバで読み取り実行可能なプログラムであって、前記清掃作業管理サーバを、部屋番号ごとに、当該部屋番号の部屋が空室であるか、当該部屋番号の部屋に滞在しているか、当該部屋番号の部屋が本日出発する予定の部屋であるかを識別する滞在情報と、当該部屋番号の部屋が未清掃であるか、完了であるかを識別する清掃情報とをそれぞれ対応付けて記憶する記憶手段と、前記作業者端末に入力された、部屋番号及び当該部屋番号に対する作業メッセージを受け付けるメッセージ受付手段と、前記メッセージ受付手段により受け付けた部屋番号及び当該部屋番号に対する作業メッセージを関連付けて管理する管理手段と、前記記憶手段に記憶された、部屋番号ごとの前記滞在情報及び前記清掃情報と、前記管理手段により管理された部屋番号に対する作業メッセージとに従って、前記作業者端末に対して、部屋番号ごとに、前記滞在情報と、前記清掃情報と、前記作業メッセージとをそれぞれ対応付けて一覧表示するよう制御する一覧表示制御手段と、して機能させる。
【発明の効果】
【０００９】
本発明により、複数の作業者端末間で作業状況を共有するため、それぞれの作業者端末に対して、部屋番号ごとに、滞在情報と、清掃情報と、作業メッセージとをそれぞれ対応付けて一覧表示するよう制御する仕組みを提供することが可能となる。
【図面の簡単な説明】
【００１０】
【図１】本発明の実施形態であるホテル宿泊管理システムと清掃作業管理システムとがシステム連携した構成の一例を示すシステム構成図である。
【図２】本発明の実施形態であるホテル宿泊管理システムと清掃作業管理システムで使用する各種電子機器、端末、デバイス、管理サーバ、情報処理装置等に適用可能なハードウェア構成の一例を示すハードウェアブロック図である。
【図３】本発明の実施形態であるホテル宿泊管理システムと清掃作業管理システムが連携する作業メッセージ登録処理の一例を示すフローチャートである。
【図４】本発明の実施形態である清掃作業管理システムのホテル別のログイン処理の一例を示すフローチャートである。
【図５】本発明の実施形態である清掃作業管理システムの清掃管理メニュー選択処理の一例を示すフローチャートである。
【図６】本発明の実施形態である清掃作業管理システムの部屋別の作業メッセージ登録処理の一例を示すフローチャートである。
【図７】本発明の実施形態である清掃作業管理システムのフロア別の作業メッセージ有無表示処理の一例を示すフローチャートである。
【図８】本発明の実施形態である清掃作業管理システムの部屋別の作業メッセージ内容表示処理の一例を示すフローチャートである。
【図９】本発明の実施形態である清掃作業管理システムで管理するログインテーブルで対応づけられている各種データの構成図である。
【図１０】本発明の実施形態である清掃作業管理システムで管理する部屋番号マスタテーブルで対応づけられている各種データの構成図、ホテル宿泊管理システムで管理する部屋番号マスタテーブルで対応づけられている各種データの構成図である。
【図１１】本発明の実施形態である清掃作業管理システムにおいて表示制御するログイン画面の一例を示す画面イメージである。
【図１２】本発明の実施形態である清掃作業管理システムにおいて表示制御する清掃管理メニュー画面の一例を示す画面イメージである。
【図１３】本発明の実施形態である清掃作業管理システムにおいて表示制御する施設別清掃状況一覧画面の一例を示す画面イメージである。
【図１４】本発明の実施形態である清掃作業管理システムにおいて表示制御するフロア別の作業メッセージ有無画面の一例を示す画面イメージである。
【図１５】本発明の実施形態である清掃作業管理システムにおいて表示制御するフロア別清掃状況一覧画面の一例を示す画面イメージである。
【図１６】本発明の実施形態である清掃作業管理システムにおいて表示制御する部屋別の作業メッセージ内容表示画面の一例を示す画面イメージである。
【図１７】本発明の実施形態である清掃作業管理システムにおいて表示制御する部屋別の作業メッセージ登録画面の一例を示す画面イメージである。
【図１８】本発明の第２の実施形態である清掃作業管理システムにおいて表示制御する施設別清掃状況一覧画面の一例を示す画面イメージである。
【図１９】本発明の第２の実施形態である清掃作業管理システムにおいて表示制御するフロア別の作業メッセージ内容表示画面の一例を示す画面イメージである。
【図２０】本発明の第２の実施形態である清掃作業管理システムにおいて表示制御する作業メッセージ一括登録画面の一例を示す画面イメージである。
【図２１】本発明の第２の実施形態である清掃作業管理システムの施設別清掃状況一覧画面遷移の一例を示すフローチャートである。
【図２２】本発明の第２の実施形態である清掃作業管理システムのフロア別の作業メッセージ内容表示画面遷移の一例を示すフローチャートである。
【図２３】本発明の第２の実施形態である清掃作業管理システムの作業メッセージ一括登録処理の一例を示すフローチャートである。
【発明を実施するための形態】
【００１１】
以下、図面を参照して、本発明の実施形態を詳細に説明する。
【００１２】
図１は、ホテルシステムクライアント１００、清掃管理サービス連動用サーバ１０１、ホテルシステムサーバ１０２、がローカルエリアネットワーク（ＬＡＮ）１０５を介して通信可能に接続される構成となっている。尚、本発明の実施形態であるホテル宿泊管理システムは、ホテルシステムクライアント１００及びホテルシステムサーバ１０２でされている。
更にＷＥＢサーバ１０３−１、清掃管理ＤＢサーバ１０３−２ともインターネット１０６を介して通信可能に接続される構成となっている。
【００１３】
尚、本発明の実施形態である清掃作業管理システムはＷＥＢサーバ１０３−１及び清掃管理ＤＢサーバ１０３−２、清掃管理サービス連動用サーバ１０１で構成されている。また、清掃作業管理システムを利用する複数の作業者端末１０４はインターネット１０６を介して通信可能に接続される。
【００１４】
ホテルシステムクライアント１００は、ホテルの各担当者がホテルシステムにおける基本操作（予約登録、チェックイン、チェックアウトなど）を行う端末である。
ホテルシステムクライアント１００で操作した内容は、ローカルエリアネットワーク（ＬＡＮ）１０５を介して、ホテルシステムサーバ１０２に記憶される。
【００１５】
清掃管理サービス連動用サーバ１０１は、清掃管理ＤＢサーバ１０３−２とホテルシステムサーバ１０２との間のデータ送受信の中継をする連動用サーバである。
ホテルシステムサーバ１０２は、宿泊データや部屋番号データ等を管理するデータベースサーバである。
ＷＥＢサーバ１０３−１は、清掃作業管理システムのＷＥＢ表示画面を管理するサーバである。
【００１６】
インターネット１０６を介して作業者端末１０４から清掃作業管理システムの操作が実施されると、ＷＥＢサーバ１０３−１からインターネット１０６を介して、清掃管理ＤＢサーバ１０３−２に接続し必要な情報を取得する。ＷＥＢサーバ１０３−１は、取得した情報を元に構築した各種ＷＥＢ画面を、作業者端末１０４の画面表示に必要な情報として送信する。ＷＥＢサーバ１０３−１と清掃管理ＤＢサーバ１０３−２が直接連携する構成とすることも可能である。また、１つのサーバとして構成することも可能である。
【００１７】
図２において、２０１はＣＰＵで、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１８】
２０３はＲＡＭで、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードして、該ロードしたプログラムを実行することで各種動作を実現するものである。
【００１９】
また、２０５は入力コントローラで、キーボード（ＫＢ）２０９や不図示のマウス等のポインティングデバイス等からの入力を制御する。２０６はビデオコントローラで、ＣＲＴディスプレイ（ＣＲＴ）２１０等の表示器への表示を制御する。なお、図２では、ＣＲＴ２１０と記載しているが、表示器はＣＲＴだけでなく、液晶ディスプレイ等の他の表示器であってもよい。これらは必要に応じて管理者が使用するものである。
【００２０】
２０７はメモリコントローラで、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２１】
２０８は通信Ｉ／Ｆコントローラで、ネットワーク（例えば、図１に示したＬＡＮ１０５）を介して外部機器と接続・通信するものであり、ネットワークでの通信制御処理を実行する。例えば、ＴＣＰ／ＩＰを用いた通信等が可能である。
【００２２】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２３】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイル及び各種情報テーブル等も、外部メモリ２１１に格納されており、これらについての詳細な説明も後述する。
【００２４】
以下、本発明の実施形態に係る、ホテルシステムサーバ１０２、清掃管理サービス連動用サーバ１０１、ＷＥＢサーバ１０３−１及び清掃管理ＤＢサーバ１０３−２における、ホテル宿泊管理システムに連携した清掃作業管理システムの作業メッセージの登録や内容確認処理の一例を、図３乃至図８に示すフローチャートを用いて説明する。
【００２５】
Ｓ３０１で、ホテルシステムサーバ１０２は、定期的に記憶している第２の部屋番号テーブル１００１−２の使用状況を参照して、使用状況が、使用中から空き室、本日出発等に変更になったかを見る。
【００２６】
Ｓ３０２で、ホテルシステムサーバ１０２は部屋番号毎に現在の使用状況が使用済みであるか否かを判断している（使用済み判断手段）。たとえば、Ｓ３０１で使用状況が、使用中から空き室等に変更になった場合には、現在の使用状況が使用済みであると判断することができる。
【００２７】
更にＳ３０１で使用状況が、使用中から本日出発等に変更になった場合には、清掃作業の準備が必要であると判断することもできる。ここではい（清掃作業が要）と判断された場合にはＳ３０３に進み、ここでいいえ（清掃作業が不要）と判断された場合にはＳ３０１に戻る。
【００２８】
Ｓ３０３で、清掃管理サービス連動用サーバ１０１は、自動で清掃作業が要となった部屋番号とその部屋に対しての、清掃作業の優先度を含んだ作業メッセージ「優先して作業してください。」「最後に作業して下さい。」等を清掃管理ＤＢサーバ１０３−２に自動送信する。
【００２９】
Ｓ３０４では、作業メッセージ管理サーバとして清掃管理ＤＢサーバ１０３−２はＳ３０３において自動で清掃作業が要であると判断された部屋番号に対して、当該部屋番号に対する作業メッセージを自動で受け付けることも可能となる（受付手段）。
【００３０】
Ｓ３０５で、清掃管理ＤＢサーバ１０３−２は部屋番号テーブル１００１−１内を検索して、自動送信された部屋番号と当該部屋番号に対する作業メッセージを確認する。
【００３１】
Ｓ３０６で、清掃管理ＤＢサーバ１０３−２は自動送信された部屋番号に対応する作業メッセージがあるか否かを判断して、登録されていない場合にだけＳ３０７に進む。既に登録されている場合は、メッセージが重複するので何もしない。
Ｓ３０７で、清掃管理ＤＢサーバ１０３−２は自動送信された当該部屋番号に対する作業メッセージを自動登録する。
【００３２】
Ｓ４０１で、ＷＥＢサーバ１０３−１は作業者端末１０４からの表示要求に従って、ホテルＩＤとそのパスワードを作業者端末１０４から入力させ、ホテルＩＤをログイン認証するログイン画面情報１１００を作業者端末１０４に送信している。
Ｓ４０２で、作業メッセージ管理サーバとしてＷＥＢサーバ１０３−１は、ホテル名である施設情報（ＡＢＣホテル）を受け付けている（施設情報受付手段）。
【００３３】
Ｓ４０３で、ＷＥＢサーバ１０３−１は、ログインボタン１１０３ボタンが作業者端末１０４で押下されたか否かを判断している。押下されたと判断した場合（ＹＥＳ）にＳ４０４に進む。
Ｓ４０４で、ＷＥＢサーバ１０３−１はホテルＩＤとそのパスワードを清掃管理ＤＢサーバ１０３−２に送信する。
【００３４】
Ｓ４０５で、作業メッセージ管理サーバとして清掃管理ＤＢサーバ１０３−２はＳ４０２で受け付けたホテルＩＤ（施設情報）が施設情報テーブル９０１にあるか否かを認証している（認証手段）。
【００３５】
Ｓ４０６で、清掃管理ＤＢサーバ１０３−２は、４０２で受け付けたホテルＩＤ（施設情報）が施設情報テーブル９０１にあるか否かを判断して、ある（認証成功）と判断した場合に、ホテルＩＤ毎に個別の部屋番号テーブルを取得する。ない（認証失敗）と判断した場合には、Ｓ４０１に戻る。
【００３６】
Ｓ５０１で、ＷＥＢサーバ１０３−１はホテル別清掃、フロア別清掃、作業メッセージ登録等の清掃管理メニューの中から作業者に項目を選択させる清掃管理メニュー画面情報１２００を作業者端末１０４に送信している。
Ｓ５０２で、ＷＥＢサーバ１０３−１は、作業者端末１０４から選択項目を受け付けている。
Ｓ５０３で、ＷＥＢサーバ１０３−１は選択項目が、ホテル別清掃であるか否かを判断している。ホテル別清掃であると判断した場合にのみ２番に進む。
Ｓ５０４で、ＷＥＢサーバ１０３−１は選択項目が、フロア別清掃であるか否かを判断している。フロア別清掃であると判断した場合にのみ３番に進む。
Ｓ５０５で、ＷＥＢサーバ１０３−１は作業メッセージ登録清掃であるか否かを判断している。作業メッセージ登録であると判断した場合にのみ４番に進む。
【００３７】
４番に進んだ後、Ｓ６０１で、作業メッセージ管理サーバとしてＷＥＢサーバ１０３−１はＳ５０５で受け付けた作業者端末１０４からの表示要求に従って、作業メッセージを登録する部屋番号を選択可能に表示する部屋選択画面情報１７０１を作業者端末１０４に送信している（部屋選択画面情報送信手段）。
【００３８】
同時に、作業メッセージ管理サーバとしてＷＥＢサーバ１０３−１はＳ５０５で受け付けた作業者端末１０４からの表示要求に従って、登録する作業メッセージをユーザが入力可能に表示する作業メッセージ欄画面情報１７０２も作業者端末１０４に送信している（メッセージ欄画面情報送信手段）。
【００３９】
このようにすることで、Ｓ６０２の受付手段が、部屋選択画面１７０１中でユーザにより選択された部屋番号と、作業メッセージ欄画面１７０２中でユーザにより手入力された当該部屋番号に対する作業メッセージをそれぞれ受け付けることができる。
【００４０】
Ｓ６０２で、ＷＥＢサーバ１０３−１は作業者端末１０４の画面１７００内の部屋番号選択メニュー１７０１で選択された部屋番号と、作業者端末１０４の画面１７００内のメッセージ入力欄１７０１において手入力された部屋番号に対する作業メッセージ「優先してください」との両方を受け付けている（受付手段）。
【００４１】
更にここで、受付手段が、作業メッセージ欄画面１７０２中でユーザにより入力された当該部屋番号に対する作業メッセージをそれぞれ受け付ける場合には、作業メッセージ欄には、ユーザが手入力をせずに、予め設定された作業メッセージ「優先してベットメイキングください」等が記入されていてもよい。このようにすることでユーザが手入力する手間を省略することができる。
【００４２】
Ｓ６０３で、清掃管理ＤＢサーバ１０３−２は部屋番号テーブル１００１−１内を検索して、受け付けた部屋番号と当該部屋番号に対する作業メッセージを確認する。
【００４３】
Ｓ６０４で、清掃管理ＤＢサーバ１０３−２は受け付けた部屋番号に対応する作業メッセージがあるか否かを判断して、登録されていない場合にだけＳ６０５に進む。既に登録されている場合は、メッセージが重複するのでＳ６０６に進む。
Ｓ６０５で、清掃管理ＤＢサーバ１０３−２は受け付けた当該部屋番号に対する作業メッセージを、部屋番号テーブル１００１−１に登録する。
Ｓ６０６で、ＷＥＢサーバ１０３−１は図示しない「作業メッセージはすでに登録されています」等の警告画面情報を作業者端末１０４に送信する。
【００４４】
３番に進んだ後、Ｓ７０１で、作業メッセージ管理サーバとして清掃管理ＤＢサーバ１０３−２が記憶しているＡＢＣホテル専用の部屋番号テーブル１００１−１に基づいて、清掃管理ＤＢサーバ１０３−２は、部屋番号と当該部屋番号に対する作業メッセージを一意に対応づけた一覧表データを生成する（一覧表生成手段）。
【００４５】
Ｓ７０２で、ＷＥＢサーバ１０３−１はＳ５０４で受け付けた作業者端末１０４からの一覧表の表示要求に従って、作業者端末１０４において当該部屋番号に対する作業メッセージが一意に対応づけられている部屋番号を識別可能に表示するべく、Ｓ７０１で生成したフロア別の作業メッセージ有無画面１４００のような一覧表データの画面情報を作業者端末１０４に送信している（一覧表画面情報送信手段）。
Ｓ７０３で、ＷＥＢサーバ１０３−１は、受け付けた部屋番号ＩＤを送信する。
Ｓ７０４で、清掃管理ＤＢサーバ１０３−２は受け付けた部屋番号ＩＤをキーに、部屋番号テーブル１００１−１の中の作業メッセージを検索する。
【００４６】
Ｓ７０５で、清掃管理ＤＢサーバ１０３−２は作業メッセージがあるか否かを判断して、作業メッセージがある場合に５番に進む。ない場合にはＳ７０２に戻る。
【００４７】
５番に進んだ後、Ｓ８０１で、清掃管理ＤＢサーバ１０３−２はＡＢＣホテル専用の部屋番号テーブル１００１−１から、受け付けた部屋番号ＩＤに対応する作業メッセージを取得する。
【００４８】
Ｓ８０２で、ＷＥＢサーバ１０３−１は、受け付けた部屋番号ＩＤに対応する登録済みの作業メッセージの内容をユーザが確認可能に表示する作業メッセージ内容確認画面情報１６００を作業者端末１０４に送信している（作業メッセージ内容確認画面情報送信手段）。
Ｓ８０３で、ＷＥＢサーバ１０３−１は確認ボタンの押下によって、Ｓ８０２で作業メッセージ内容を表示している部屋番号ＩＤを送信する。
Ｓ８０４で、清掃管理ＤＢサーバ１０３−２は部屋番号ＩＤに対応する作業メッセージの状態を未読から既読に変更する。
【００４９】
図９は、本発明の実施形態に係る清掃作業管理システムにおいて実行される各処理で利用されるログインテーブル（施設情報テーブル）の構成の一例が示されており、このテーブルは、清掃管理ＤＢサーバ１０３−２で記憶管理されている。
施設情報テーブル９０１には、作業メッセージを登録可能な複数の異なる施設情報が、それぞれのログインパスワードともに記憶されている。
【００５０】
ホテルＩＤとは施設情報であり、たとえばＡＢＣホテル、ＤＥＦホテル等をそれぞれ識別するＩＤである。ホテルＩＤがあるのでログイン時にＡＢＣホテル、ＤＥＦホテル等をそれぞれ認証して、認証されたホテル毎に固有の部屋番号テーブル１００１−１を呼び出すことができる。
【００５１】
図１０は、本発明の実施形態に係る清掃作業管理システムにおいて実行される各処理で利用される部屋番号マスタテーブル（部屋番号テーブル）の構成の一例が示されており、このテーブルは、清掃管理ＤＢサーバ１０３−２で記憶管理されている。
部屋番号テーブル１００１−１には、ＡＢＣホテル用の部屋番号と当該部屋番号に対する作業メッセージを一意に対応づけて記憶されている。
【００５２】
また、ＤＥＦホテル用の部屋番号テーブル１００１−１には、ＤＥＦホテルの部屋番号と当該部屋番号に対する作業メッセージを一意に対応づけて記憶されている。
【００５３】
また、ＧＨＩホテル用の部屋番号テーブル１００１−１には、ＧＨＩホテルの部屋番号と当該部屋番号に対する作業メッセージを一意に対応づけて記憶されている。
部屋番号は、部屋の番号であり、部屋を識別するＩＤである。
【００５４】
メッセージは、部屋の番号に一意に対応づけて登録される作業メッセージであり、登録されている場合にのみ、メッセージが入力されている。１つのメッセージボックスである。
フロアは、階の番号であり、何階かを識別するＩＤである。
【００５５】
図１０は、本発明の実施形態に係るホテル宿泊管理システムにおいて実行される各処理で利用される部屋番号マスタテーブル（部屋番号テーブル）の構成の一例が示されており、このテーブルは、ホテルシステムサーバ１０２で記憶管理されている。
部屋番号テーブル１００１−２には、部屋番号と当該部屋番号の現在の使用状況を一意に対応づけて記憶されている。
部屋番号は、部屋の番号であり、部屋を識別するＩＤである。
【００５６】
滞在状態は、部屋の番号に一意に対応づけて登録されるその部屋の使用状況であり、たとえば、空室（未使用）、滞在中（使用中）、本日出発（もうすぐ未使用になる）などを切り分けることができ、たとえば、本日出発（もうすぐ未使用になる）であれば、清掃作業の準備が必要であることを切り分けることができ、Ｓ３０２での清掃作業が必要か否かの判断分岐に用いることも可能となる。
なお、上述した各種データの構成及びその内容はこれに限定されるものではなく、用途や目的に応じて、様々な構成や内容で構成されることは言うまでもない。
図１８を説明する。
図１８は本発明の第２の実施形態である清掃作業管理システムにおいて表示制御する施設別清掃状況一覧画面の一例を示す画面イメージである。
【００５７】
１８００は施設別清掃状況一覧画面であり、Ｓ２１０１の処理においてＷＥＢサーバ１０３−１が端末１０４に送信する操作画面情報である。その後端末１０４のＷＥＢブラウザによって施設別清掃状況一覧画面が表示される。
【００５８】
画面内の１８０１の一覧エリアにフロア別清掃状況を表示する。つまり、フロア毎に、フロア名（２Ｆ〜１０Ｆ）、清掃状況の円グラフ、部屋数、清掃状況別部屋数（完了、未点検、未清掃）、未読アイコン（未読メッセージ数）を表示する。各行が押下されると、各フロアのフロア別の作業メッセージ内容表示画面に画面遷移する。
画面内の１８０２にホテル名を表示し、Ｓ４０６で認証されたユーザがログインしたホテルのホテル名が表示される。
図１９を説明する。
図１９は本発明の第２の実施形態である清掃作業管理システムにおいて表示制御するフロア別の作業メッセージ内容表示画面の一例を示す画面イメージである。
【００５９】
１９００はフロア別の作業メッセージ内容表示画面であり、Ｓ２２０１の処理においてＷＥＢサーバ１０３−１が端末１０４に送信する操作画面情報である。その後端末１０４のＷＥＢブラウザによってフロア別の作業メッセージ内容表示画面が表示される。
【００６０】
画面内の１９０３の一覧エリアに部屋別清掃状況を表示する。つまり、部屋番号（１００１〜１０１３）毎に、部屋タイプ、滞在状況（滞在、空室、出発）、清掃状況、メッセージ既読状況、部屋番号に対応する作業メッセージ１９０２を表示する。清掃状況クリックで図１５に示したような「清掃状況変更」へ遷移する。メッセージクリックで図１６に示したような「メッセージ内容の確認」へ遷移する。
メッセージ登録ボタン１９０１が押下されると、各フロアの作業メッセージ一括登録画面に画面遷移する。
図２０を説明する。
図２０は、本発明の第２の実施形態である清掃作業管理システムにおいて表示制御する作業メッセージ一括登録画面の一例を示す画面イメージである。
【００６１】
２０００は作業メッセージ一括登録画面であり、Ｓ２３０１の処理においてＷＥＢサーバ１０３−１が端末１０４に送信する操作画面情報である。その後端末１０４のＷＥＢブラウザによって作業メッセージ一括登録画面が表示される。
【００６２】
画面内の２００１の一覧エリアに部屋別清掃状況を表示する。また複数の部屋番号を同時に指定可能であり、複数指定した部屋の滞在状況、清掃状況、メッセージを一括変更することを可能とする。
２００２は、複数の部屋番号を同時に指定して、措定した複数の部屋番号に対する作業メッセージをユーザが自由に記載できる欄である。
【００６３】
２００３は、措定した複数の部屋番号に対する作業メッセージをユーザが自由に記載した内容に変更指示するボタンである。変更指示後には、部屋番号に対応する作業メッセージ１９０２が一括で変更されることになる。
２００４は、既に登録済みである部屋番号に対応する作業メッセージ１９０２をユーザが自由に記載できる欄に複製指示するためのボタンである。
【００６４】
つまり２００４は、クライアントに送信した画面情報をクライアントで表示した後に、クライアントの作業メッセージ一括登録画面で表示された一覧表に既に記載されている作業メッセージの複製指示を受け付けるためのボタン（複製指示受付手段）である。
【００６５】
２００４が押下された場合には、クライアントの作業メッセージ一括登録画面で表示された一覧表に既に記載されている作業メッセージが、Ｓ２３０２において受け付ける部屋番号及び当該部屋番号に対する作業メッセージとして複製されるようにクライアントに送信した画面情報を更新制御（更新制御手段）する。
図２１を説明する。
図２１は、本発明の第２の実施形態である清掃作業管理システムの施設別清掃状況一覧画面遷移の一例を示すフローチャートである。
Ｓ２１０１で、ＷＥＢサーバ１０３−１は施設別清掃状況一覧画面情報（図１８）を作業者端末１０４に送信している。
Ｓ２１０２で、ＷＥＢサーバ１０３−１は、作業者端末１０４から選択項目を受け付けている。
【００６６】
Ｓ２１０３で、ＷＥＢサーバ１０３−１は選択項目が、フロア毎のフロア別清掃であるか否かを判断している。フロア別清掃であると判断した場合に５番に進む。
図２２を説明する。
図２２は、本発明の第２の実施形態である清掃作業管理システムのフロア別の作業メッセージ内容表示画面遷移の一例を示すフローチャートである。
Ｓ２２０１でＷＥＢサーバ１０３−１は、フロア別の作業メッセージ内容表示画面情報（図１９）を作業者端末１０４に送信している。
Ｓ２２０２でＷＥＢサーバ１０３−１は、作業者端末１０４から選択項目を受け付けている。
Ｓ２２０３でＷＥＢサーバ１０３−１は選択項目が、メッセージの一括登録であるか否かを判断している。フロア別清掃であると判断した場合に６番に進む。
図２３を説明する。
図２３は、本発明の第２の実施形態である清掃作業管理システムの作業メッセージ一括登録処理の一例を示すフローチャートである。
Ｓ２３０１でＷＥＢサーバ１０３−１は作業メッセージ一括登録画面情報（図２１）を作業者端末１０４に送信している。
【００６７】
Ｓ２３０２でＷＥＢサーバ１０３−１は、作業者端末１０４から図２１で選択された複数の部屋番号、手入力された作業メッセージ、作業メッセージの変更指示を受け付けて取得している（第２の受付手段）。
【００６８】
Ｓ２３０３で、清掃管理ＤＢサーバ１０３−２は部屋番号テーブル１００１−１内を検索して、Ｓ２３０２で受け付けた複数の部屋番号と各部屋番号に対する作業メッセージを確認する。
【００６９】
Ｓ２３０４で、清掃管理ＤＢサーバ１０３−２は受け付けた部屋番号に対応する作業メッセージがあるか否かを判断して、Ｓ２３０２で受け付けた複数の部屋番号に作業メッセージが登録されていない場合にだけＳ２３０５に進む。既に登録されている場合は、メッセージが重複するのでＳ２３０６に進む。
【００７０】
Ｓ２３０５で、清掃管理ＤＢサーバ１０３−２は、Ｓ２３０２で受け付けた複数の部屋番号に共通する作業メッセージを、部屋番号テーブル１００１−１に一括登録する。
Ｓ２３０６で、ＷＥＢサーバ１０３−１は図示しない「作業メッセージはすでに登録されています」等の警告画面情報を作業者端末１０４に送信する。
また、本発明におけるプログラムは、図３〜図８、図２１〜図２３の処理をコンピュータで実行可能なプログラムである。
【００７１】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００７２】
この場合、記録媒体から読み出されたプログラム自体が本発明の新規な機能を実現することになり、そのプログラムを記録した記録媒体は本発明を構成することになる。
【００７３】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００７４】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７６】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７７】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【００７８】
１００    ホテルシステムクライアント
１０１    清掃管理サービス連動用サーバ
１０２    ホテルシステムサーバ
１０３−１    ＷＥＢサーバ
１０３−２    清掃管理ＤＢサーバ
１０４    作業者用端末
１０５    ＬＡＮ
１０６    インターネット
【図１】
0006583202.tif 000002
【図２】
0006583202.tif 000003
【図３】
0006583202.tif 000004
【図４】
0006583202.tif 000005
【図５】
0006583202.tif 000006
【図６】
0006583202.tif 000007
【図７】
0006583202.tif 000008
【図８】
0006583202.tif 000009
【図９】
0006583202.tif 000010
【図１０】
0006583202.tif 000011
【図１１】
0006583202.tif 000012
【図１２】
0006583202.tif 000013
【図１３】
0006583202.tif 000014
【図１４】
0006583202.tif 000015
【図１５】
0006583202.tif 000016
【図１６】
0006583202.tif 000017
【図１７】
0006583202.tif 000018
【図１８】
0006583202.tif 000019
【図１９】
0006583202.tif 000020
【図２０】
0006583202.tif 000021
【図２１】
0006583202.tif 000022
【図２２】
0006583202.tif 000023
【図２３】
0006583202.tif 000024